(57)【要約】【課題】部品配置の効率を上昇させ、かつレンズバリア機構を確実に固定する。【解決手段】前筒３２の先端側には、レンズバリアユニット３３が設けられている。  レンズバリアユニット３３は、前面カバー７５、一対のバリア羽根７６，７７、バリア基板７８、及びバリア駆動部材７９とから構成される。バリア羽根７６，７７は、前カバー７５及びバリア基板７８によって挟み込まれて光軸方向に対して直交する方向に開閉自在に支持される。バリア駆動部材７９は、バリア基板７８の背面側に支持され、前筒３９の進退に連動してバリア羽根７６，７７を開閉させる。レンズバリアユニット３３は、前筒３２の回転筒３９に対して回転自在かつ光軸方向に位置が規制されて取り付けられ、直進筒４０と係合し、回転が規制される。【選択図】        図３
2004302274.tif 000002
【特許請求の範囲】
【請求項１】
撮影レンズが組み込まれ、撮影光軸に直交する方向で移動して撮影レンズを開閉するバリア羽根、このバリア羽根を支持するバリア支持部材、及びこのバリア支持部材に対して回転自在に係合し、前記バリア羽根を開閉させるように駆動を伝達するバリア駆動部材からなるバリア部を備えたレンズバリア付きレンズ鏡筒において、
前記レンズ鏡筒は、少なくともカメラ本体に対して撮影光軸の周りを回動し、かつ撮影光軸方向に沿って進退する回転筒、及びこの回転筒の内部に組み込まれ、撮影光軸方向に沿って進退し、かつ撮影光軸の周りの回転が規制されている直進筒からなり、前記バリア支持部材は、前記回転筒に対して撮影光軸の周りを回転自在に、且つ撮影光軸方向の位置が規制されて取り付けられる取り付け部、及び前記直進筒により係止され、撮影光軸の周りの回転が規制される回転規制部が設けられていることを特徴とするレンズバリア付きレンズ鏡筒。
【請求項２】
前記バリア支持部材は、背面側から前記バリア羽根を支持する基板、及びこの基板と一体に係合し、バリア羽根の前面側に位置して前記バリア駆動部材、及び支持板を覆い隠す前カバーとからなることを特徴とする請求項１記載のレンズバリア付きレンズ鏡筒。
【発明の詳細な説明】
【０００１】
【発明の属する技術分野】
本発明は、繰り出し及び沈胴に連動してレンズバリアが開閉するレンズバリア付きレンズ鏡筒に関するものである。
【０００２】
【従来の技術】
撮影レンズの前方にレンズバリアを設け、携帯時等の撮影を行なわない時に、撮影レンズに傷や埃，汚れなどが着かないように保護するレンズバリア機構を備えたカメラが従来よりある。レンズバリア機構は、レンズ鏡筒の先端部内に回動自在に取り付けられた１枚あるいは複数枚のバリア羽根などから構成され、これらのバリア羽根をレンズ鏡筒の移動もしくは回転に連動して回動させることで、撮影レンズの開放と保護とを行なっている。
【０００３】
上述のようなレンズバリア機構は、複数の部品を組み合わせたユニット形態でレンズ鏡筒に組み込まれていることが多く、例えば特許文献１及び２に記載されているレンズバリア機構は、２枚のバリア羽根、このバリア羽根を回転自在に支持するバリア基板、レンズ鏡筒からの駆動に連動してバリア羽根を回動させるバリア駆動部材、及びこれらの前方を覆い隠し、撮影レンズを露呈させる開口が形成された前カバーなどからなり、このレンズバリア機構をレンズ鏡筒の先端部に固定している。
【０００４】
【従来の技術】
【特許文献１】
特開平１０−１６１１８５号公報
【特許文献２】
特開２０００−２３１１４０号公報
【０００５】
【発明が解決しようとする課題】
しかしながら、上記特許文献１及び２に記載されているようなレンズバリア機構を備えたカメラでは、レンズバリア機構を撮影レンズの前方にネジ止め又は爪止めすることが一般的であり、ネジ止め又は爪止めするスペースをレンズ鏡筒の先端部に必要とするために、レンズ鏡筒の先端部に他の部品を配置することが非常に困難である。また、レンズバリア機構をネジ止め又は爪止めによって確実に固定する必要があるため、高い部品精度及び組立精度が必要となり、コストの上昇を招くことにもなる。
【０００６】
特に、撮影レンズを保持する直進筒と、この直進筒を内蔵し、ヘリコイドのリードなどによって回転駆動を直進移動に変換する回転筒とから構成されるレンズ鏡筒などでは、回転筒と直進筒の回転位相差から、撮影レンズの焦点距離の位置を検出することが検討されており、この回転位相差を検出するためのセンサをレンズ鏡筒内に組み込むことが望まれている。そして、このようなレンズ鏡筒の場合、直進筒にレンズバリア機構ネジ止めなどによって固定すると、先端部の部品配置がさらに窮屈となる。また、回転筒にレンズバリア機構を固定すると、回転筒とともにレンズバリア機構も回転するため、レンズバリア機構を構成する前カバーも回転するので、前カバーが回転しても同じ状態で撮影レンズを露呈できるようにレンズ露呈用の開口を円形にしなければならず、この開口の形状を設計するうえでの自由度が低くなってしまう。
【０００７】
本発明は、上記問題を解決するためのものであり、先端部にレンズバリア機構が組み込まれたレンズ鏡筒で部品配置の効率を上昇させ、かつレンズバリア機構を確実に固定することが可能なレンズ鏡筒をローコストに提供する。
【０００８】
【課題を解決するための手段】
上記目的を達成するために、本発明のレンズバリア付きレンズ鏡筒は、撮影レンズが組み込まれ、撮影光軸に直交する方向で移動して撮影レンズを開閉するバリア羽根、このバリア羽根を支持するバリア支持部材、及びこのバリア支持部材に対して回転自在に係合し、前記バリア羽根を開閉させるように駆動を伝達するバリア駆動部材からなるバリア部を備えたレンズバリア付きレンズ鏡筒において、前記レンズ鏡筒は、少なくともカメラ本体に対して撮影光軸の周りを回動し、かつ撮影光軸方向に沿って進退する回転筒、及びこの回転筒の内部に組み込まれ、撮影光軸方向に沿って進退し、かつ撮影光軸の周りの回転が規制されている直進筒からなり、前記バリア支持部材は、前記回転筒に対して撮影光軸の周りを回転自在に、且つ撮影光軸方向の位置が規制されて取り付けられる取り付け部、及び前記直進筒により係止され、撮影光軸の周りの回転が規制される回転規制部が設けられている設けられている。
【０００９】
なお、前記バリア支持部材は、背面側から前記バリア羽根を支持する基板、及びこの基板と一体に係合し、バリア羽根の前面側に位置して前記バリア駆動部材、及び支持板を覆い隠す前カバーとからなることが好ましい。
【００１０】
【発明の実施の形態】
図１は、本発明を実施したカメラ１０を示す外観斜視図である。カメラ１０のカメラボディ１１は、各種撮影機構や電子部品等が組み付けられる本体基部１２（図２参照）と、本体基部１２の前面及び背面を覆う前カバー１３及び後カバー１４とから構成される。カメラボディ１１の中央部には、撮影レンズ１６が組み込まれている。この撮影レンズ１６を内蔵するレンズバリア付きレンズ鏡筒（以下では、単にレンズ鏡筒とする。）１７は、カメラ１０の主電源がオフの時にはカメラボディ１１の内部に収納され（実線）、後述するバリア羽根７６，７７によって撮影レンズ１６の前面が覆われており、電源をオンにした後、広角端から望遠端に向けて変倍操作を行った時にカメラボディ１１の前面から突出し（仮想線）、撮影レンズ１６が露呈する。また、カメラボディ１１の前面には、対物側ファインダ窓１８，ストロボ発光窓１９，測光窓２０，オートフォーカス（パッシブ方式）用の受光窓２１，２２が設けられる。また、カメラボディ１１の上部にはシャッタボタン２３、ズームボタン２４が設けられている。
【００１１】
本発明に係るレンズ鏡筒１７は、詳しくは図２に示すように、固定筒２６，後筒３０、中間筒３１，前筒３２、レンズバリアユニット３３から構成されている。  固定筒２６は、  本体基部１２と一体に設けられており、後筒３０、中間筒３１、及び前筒３２が固定筒２６に対してそれぞれ繰り出し及び繰り込みすることによって変倍動作が行われる。後筒３０は、直進筒３５と後回転筒３６とで構成され、また、中間筒３１は、中間回転筒３７と直進ガイド枠３８とで構成されており、  前筒３２は、  回転筒３９と直進筒４０とで構成されている。
【００１２】
固定筒２６は、直進筒３５を光軸方向に移動自在に支持しており、かつ直進筒３５を回転止めする。この回転止めは、固定筒２６に設けたキー溝４１と直進筒３５に設けたキー突起４２との係合によって行われている。直進筒３５は、外周面で後回転筒３６を回転自在に支持する。
【００１３】
後回転筒３６は、モータ（図示せず）の駆動が入力されることで固定筒２６及び直進筒３５に対して回転しながら、且つ直進筒３５を保持したまま光軸方向αに移動する。光軸方向αへの移動は、外周後端に形成された雄ヘリコイド４３と固定筒２６の内周に設けた雌ヘリコイド４４との螺合によって行われる。モータの駆動は、図示しないギア列を介して、固定筒２６の内部に設けられた長尺ギア４５に入力される。
【００１４】
長尺ギア４５は、固定筒２６の一部を切り欠いた開口２６ａから内周に露呈しており、後回転筒３６の雄ヘリコイド４３の頂上に形成したギア４６に噛合する。長尺ギア４５は光軸方向αに軸方向が長く伸びるように形成されており、後回転筒３６が光軸方向αに進退しても長尺ギア４５とギア列４６の噛合が解除されることがない。
【００１５】
中間回転筒３７には、キー突起４７、雄ヘリコイド４８、及び雌ヘリコイド４９が形成されている。雄ヘリコイド４８は中間回転筒３７の外周後端に配置されており、直進筒３５の内周に形成された雌ヘリコイド５０に螺合する。キー突起４７は、雄ヘリコイド４８の外周の一部に形成されており、直進筒３５に形成された貫通孔５１を通過して後回転筒３６の内周に形成されたキー溝５２に係合している。これにより、後回転筒３６の回転が中間回転筒３７に伝達され、中間回転筒３７は、後回転筒３６の回転を利用してヘリコイド４８，５０のリードに従って光軸方向αに移動する。
【００１６】
中間回転筒３７は、直進ガイド枠３８を回転自在に支持している。直進ガイド枠３８は、環状の枠部５３、及びその枠部５３から光軸方向αに突出した直進キー５４が形成されている。枠部５３には、外周にキー突起５５が形成されている。キー突起５５は、直進筒３５の内周に設けたキー溝５６に係合し、直進ガイド枠３８を回転止めする。直進キー５４は、中間回転筒３７の内部を通過して直進筒４０に係合する。これにより、直進ガイド枠３８は、中間回転筒３７と一緒に光軸方向αに沿って移動し、かつ直進筒４０を回転止めする。
【００１７】
直進筒４０は、外周面で回転筒３９を回転自在に支持する。回転筒３９には、外部にキー突起５７が形成されている。キー突起５７は、中間回転筒３７の内周に設けたキー溝５８に係合しており、中間回転筒３７の回転を回転筒３９に伝達する。直進筒４０の外周後端には、雄ヘリコイド５９が形成されている。雄ヘリコイド５９は、中間回転筒３７の内周に設けた雌ヘリコイド４９に螺合する。これにより、直進筒４０は、直進ガイド枠３８に回転止めされた状態でヘリコイド４９，５９のリードに従って光軸方向αに沿って移動する。
【００１８】
直進筒４０は、図３及び図４に示すように、保持枠６０と、撮影レンズ１６を構成する第１レンズ群６１、第２レンズ群６３、第３レンズ群６５とで構成されている。またこの直進筒４０には、図示しないが、絞り兼用のプログラムシャッタなども内蔵している。第１レンズ群６１は、保持枠６０の先端側に固着され、第３レンズ群６５は、保持枠６０の後端側にピン止めにより固定される。第２レンズ群６３は、第１及び第３レンズ群６１，６５との間で回転止めされた状態で光軸方向に移動自在となるように保持枠６０に支持されており、内蔵されたバネ６４により第１レンズ群６１に向けて付勢されている。
【００１９】
さらに保持枠６０の先端側には、前方へ突出する突起６０ａが一体に形成されているとともに、エンコーダ接片７２が設けられている。突起６０ａは、第１レンズ群６１を通過して、直進筒４０の最も前方に位置している。
【００２０】
エンコーダ接片７２は、回転筒３９の内部に設けられたエンコーダ基板７３とともに、回転位置検出用エンコーダ７４を構成している。エンコーダ接片７２がエンコーダ基板７３と摺接し、回転筒３９とともにエンコーダ基板７３が回動することによって、エンコーダ基板７２とエンコーダ接片７３との間の抵抗値が変化するので、この抵抗値に基づく信号を出力する。このエンコーダ７４から得られた信号から回転筒３９と直進筒４０との回転位相差を検出することができる。そして、カメラ１０の制御部ではこのエンコーダ７４から得られた回転位相差に応じた信号に基づいて、レンズ鏡筒１７の焦点距離を算出する。
【００２１】
第２レンズ群６３の外周には、３個の直進ガイド部材６８が設けられている。直進ガイド部材６８は、保持枠６０に設けた３つの直進ガイド開口６９に各々係合して第２レンズ群６３を保持枠６０に対して光軸方向に直進移動させる。各直進ガイド部材６８の上には、カムフォロワー７０が形成されている。これらのカムフォロワー７０は、回転筒３９の内周に３箇所形成された第２レンズ群移動用のカム７１にそれぞれ係合する。第２レンズ群移動用のカム７１は、回転筒３９の回転に応じて光軸方向αに変位して第２レンズ群６３を保持筒６０に対して光軸方向αに移動し、第１及び第３レンズ群６１，６５との間の間隔を変化させる。
【００２２】
第１〜第３レンズ群６１，６３，６５はモータの回転量に対して収納位置からワイド位置を通ってテレ位置に向けて移動する。この移動は、各ヘリコイド４３，４４，４８〜５０，５９のリード、各回転止め、及びカム７１とカムフォロワー７０との係合による作用からなるものであり、ステップズーム方式の移動を行う。
【００２３】
さらに、前筒３２の先端側には、図５に示すように、レンズバリアユニット３３が設けられている。  レンズバリアユニット３３は、前面カバー７５、一対のバリア羽根７６，７７、バリア基板７８、及びバリア駆動部材７９とから構成される。
【００２４】
前カバー７５及びバリア基板７８は、バリア羽根７６，７７を挟み込んで支持するバリア支持部材として構成されている。バリア基板７８は、中心部に、撮影開口７８ａが形成されているとともに、前面側には、  光軸方向αに沿って延びる円筒枠７８ｂが一体に設けられている。バリア羽根７６，７７はこの円筒枠７８ｂの内部を移動する。
【００２５】
前カバー７５は、回転筒３９の内周に合わせた略円板状に形成されている。この前カバー７５には、中心部に撮影開口７５ａが、周縁部には複数の係止爪７５ｂが、背面側には、光軸方向αに沿って延びる支持軸７５ｃ，７５ｄが一体に形成されている。各バリア羽根７６，７７は、略半円の板状に形成されており、前カバー７５の支持軸７５ｃ，７５ｄに係合して回転自在に軸支される。このバリア羽根７６，７７は、閉状態において互いに当接ないしは若干オーバーラップする直線状のエッジ７６ａ，７７ａが形成されている。
【００２６】
前カバー７５の係止爪７５ｂは所定の角度間隔で、互いに回転対称な位置に形成されており、バリア基板７８の円筒枠７８ｂに形成された被係止穴７８ｃを係止する。この係止爪７５ｂで被係止穴７８ｃを係止することによって前カバー７５とバリア基板７８とが結合し、内部にバリア羽根７６，７７を挟み込んで収納する。
【００２７】
各バリア羽根７６，７７の根元部には、支持軸７５ｃ，７５ｄによって軸支される位置から所定距離隔てた位置において光軸方向αに沿って延びるピン７６ｂ，７７ｂがそれぞれ一体に形成されている。このピン７６ｂ，７７ｂは、バリア支持板７８を貫通しており、このピン７６ｂ，７７ｂには、  バリア羽根７６，７７を閉方向に付勢するコイルばね８０の一端が係止されるとともに、後述するようにバリア羽根７７，７８を開状態とするときにバリア駆動部材７９の突起７９ａ，７９ｂが当接してバリア羽根７７，７８を開方向に回動させる。
【００２８】
バリア駆動部材７９は略円環状に形成されており、中央の開口部７９ｃの周囲には回転角規制溝７９ｄが一体に形成されている。バリア基板７８の背面側には、バリア駆動部材７９の開口部７９ｃが回転自在に係合するボス７８ｄが形成されている。  このボス７８ｄの周りには突起７８ｅが一体に形成されており、ボス７８ｄに開口部７９ｃが係合し、突起７８ｅが回転角規制溝７９ｄの内部を移動することによって、バリア基板７８に対してバリア駆動部材７９が光軸方向αの周りに回転可能な位置が所定の角度範囲内に規制される。
【００２９】
バリア基板７８には、外周縁から中心に向かって切り欠かれた回転規制用切り欠き部７８ｆが形成されている。この切り欠き部７８ｆは、後述するように、直進筒４０に設けられた突起６０ａと係合する。
【００３０】
さらに、バリア駆動部材７９には、各バリア羽根７６，７７をそれぞれ開位置に回動させるための一対の突片７９ａ，７９ｂと、バリア駆動部材７９を反時計方向に付勢するためのコイルばね８１の一端を係止する係止片７９ｅと、バリア羽根７６，７７をそれぞれ閉方向に付勢するためのコイルばね８０の一端を係止するための係止片７９ｆ，７９ｇと、バリア駆動部材７９を時計方向に回動するための連結レバー７９ｈとをその外周に一体に備えている。  連結レバー７９ｈは、  光軸方向αに沿って後方に延びている。
【００３１】
そして、バリア駆動部材７９がコイルばね８１の付勢力によって反時計方向の回動端に係止されているときには、バリア駆動部材７９の突起７９ａ，７９ｂがバリア羽根７６，７７のピン７６ｂ，７７ｂに当接して、各バリア羽根７６，７７をコイルばね８０の付勢力に抗して回動させることによりバリア羽根７６，７７は開位置に保持される。
【００３２】
また、バリア駆動部材７９がコイルばね８１の付勢力に抗して時計方向に回動され、反時計方向の回動端に係止されると、バリア駆動部材７９の突起７９ａ，７９ｂがピン７６ｂ，７７ｂを開放するため、各バリア羽根７６，７７はコイルばね８０の付勢力により支持軸７５ｃ，７５ｄの周りで回動して閉位置に保持される。
【００３３】
このレンズバリアユニット３３は、上述したように、バリア羽根７６，７７が前カバー７５及びバリア基板７８の間に挟みこまれて収納され、さらにバリア基板７８の背後に、バリア駆動部材７９が係合することによって一体となったユニットの状態に組み立てられる。
【００３４】
そして、レンズバリアユニット３３は、図４に示すような状態で、前筒３２の先端部に取り付けられている。なお、このレンズバリアユニット３３となった状態のとき、前カバー７５の係止爪７５ｂは、バリア基板７８の円筒枠７８ｂを貫通して外周面に突出している。この円筒枠７８ｂから突出した係止爪７５ｂが回転筒３９にバリアユニット３３を取り付けるための取り付け部となる。
【００３５】
レンズバリアユニット３３を前筒３２に取り付けるときには、まず前筒３２の回転筒３９に係合させる。回転筒３９の内周面には、係止爪７５ｂの位置に合わせた円環状の突起８２が形成されている。この突起８２に係止爪７５ｂを係止させることによって、レンズバリアユニット３３は、回転筒３９に対して光軸方向αの周りを回転自在に係合するとともに、光軸方向αに沿って移動しないように位置が規制された状態で取り付けられる。
【００３６】
さらに、回転筒３９の内部に直進筒４０を組み込むときに直進筒４０の突起６０ａを、バリア基板７８の切り欠き部７８ｆに係合させる。これによって、レンズバリアユニット３３は、光軸方向αの周りの回転が規制された状態となる。
【００３７】
一方、  中間回転筒３７の内周面には、  雌へリコイド４９、キー溝５８とともに、カム溝８４が形成されている。このカム溝８４は、隣接する直線的な雌へリコイド４９の間に、これらへリコイド４９と平行に形成されている。そして、このカム溝６５に、作動レバー８５の後端に突設されたカムピン（カムフオロワ）８５ａが係合している。
【００３８】
この作動レバー８５には、カムピン８５ａとともに、カムピン８５ｂが一体に形成されている。このカムピン８５ｂは、バリア駆動部材７９の連結レバー７９ｈと連結している。連結レバー７９ｈには光軸方向αに対して斜めに形成されたカム溝７９ｉが形成されており、このカム溝７９ｊにカムピン８５ｂが係合している。
【００３９】
上記構成の作用について以下に説明する。レンズ鏡筒１７が沈胴するとき、すなわち、モータの回転駆動が入力されると、各ヘリコイド４３，４４，４８〜５０、５９のリード、各回転止め、及びカム７１とカムフォロワー７０との係合による作用から各回転筒３５，３７，３９が光軸方向αの周りを回転しながら、後筒３０、中間筒３１、前筒３２が後退していく。そして、回転筒３９も回転しながら後退し、直進筒４０は、回転止めされた状態で後退している。このとき、レンズバリアユニット３３は、上述したように回転筒３９に対して光軸方向αの周りを回転自在に、かつ光軸方向αに沿って移動しないように位置が規制され、さらに直進筒４０と係合して光軸方向αの周りの回転が規制された状態となっているので、光軸方向αの周りを回転せずにレンズ鏡筒１７の沈胴とともに光軸方向αに沿って後退する。
【００４０】
そして、このとき同時に、中間回転筒３７が光軸方向αの周りに回転しながらテレ端側から収納位置へ後退するので、カムピン８５ａがカム溝８４の後端部まで移動すると、作動レバー８５と連結するバリア駆動部７９のカム溝７９ｈの作用でバリア駆動部材７９は回動し、中間回転筒３７が沈胴位置まで回動すると、バリア羽根７６，７７は、バリア駆動部材７９の回動によって押圧され、バリア羽根７６，７７は閉位置となる。そして、これとは反対に、レンズ鏡筒１７が繰り出されるとき、すなわち、中間回転筒３７が沈胴位置からテレ端側に回動されるときに、バリア羽根７６，７７は開位置に保持される。
【００４１】
このように、簡単でかつバリア羽根７６，７７の開閉が容易に動作する構成で、レンズバリアユニット３３をレンズ鏡筒１７の先端部に確実に固定することが可能である。もし、このような構成とせずにネジ止めなどでレンズバリアユニット３３を直進筒４０に固定する場合には、直進筒４０の先端部の部品配置が非常に窮屈なものになるが、本実施形態の場合、部品配置に余裕があり、上述したように、回転位置検出用エンコーダ７４を配置することができる。
【００４２】
また上述のような構成のレンズバリアユニット３３とするとき、前カバー７５は光軸方向αの周りを回転せず、直進筒４０とともに進退するので、前カバー７５に形成される撮影開口７５ａを円形状に限らず、他の形状に形成することができるので、設計の自由度が向上する。
【００４３】
なお、上記実施形態においては、前カバー７５の係止爪によって回転筒３９に回転自在にかつ光軸方向αに位置を規制してレンズバリアユニット３３を取り付けているがこれに限らず、バリア基板７８に取り付け部を設けて回転自在に取り付けてもよい。また上記実施形態では、バリア羽根を２枚構成としているが、この枚数以外でも実施することができる。さらにまた、バリア羽根を支持する支持部材として、前カバー７５とバリア基板７８の２部品で構成しているが、１部品のみでバリア羽根を支持する構成としてもよい。
【００４４】
【発明の効果】
以上説明したように、本発明のレンズバリア付きレンズ鏡筒によれば、レンズ鏡筒は、少なくともカメラ本体に対して撮影光軸の周りを回動し、かつ撮影光軸方向に沿って進退する回転筒、及びこの回転筒の内部に組み込まれ、撮影光軸方向に沿って進退し、かつ撮影光軸の周りの回転が規制されている直進筒からなり、バリア支持部材は、回転筒に対して撮影光軸の周りを回転自在に、且つ撮影光軸方向の位置が規制されて取り付けられる取り付け部、及び直進筒により係止され、撮影光軸の周りの回転が規制される回転規制部が設けられているので、レンズ鏡筒の進退もしくは回転に連動してバリア羽根が開閉し、かつバリア部がレンズ鏡筒に確実に固定されるとともに、レンズ鏡筒の先端部にスペースの余裕を持つことが可能な構成をローコストに実現することができる。
【図面の簡単な説明】
【図１】本発明を実施したカメラの外観を示す斜視図である。
【図２】本発明のレンズバリア付きレンズ鏡筒の要部を示す分解斜視図である。
【図３】前筒周辺の構成を示す分解斜視図である。
【図４】前筒の要部断面図である。
【図５】レンズバリアユニットの構成を示す分解斜視図である。
【符号の説明】
１０  カメラ
１７  レンズバリア付きレンズ鏡筒
３３  レンズバリアユニット
７５  前カバー
７６，７７  バリア羽根
７８  バリア基板
７９  バリア駆動部材
【図１】
2004302274.tif 000003
【図２】
2004302274.tif 000004
【図３】
2004302274.tif 000005
【図４】
2004302274.tif 000006
【図５】
2004302274.tif 000007